(57)【要約】  【課題】発光体を含むランプ及び制御装置を収容できる電球型外部エンベロープを提供する。  【解決手段】エンベロープは、発光体を収容する略球形部と、制御装置の構成要素の少なくとも一部を収容する細長先端部とを有する。細長先端部には首部が設けられる。略管状の首延長部は、首部の内側表面部分に連結されて、首部から突出する。首延長部は、制御装置の構成要素の残りの部分を収容することに適する。ガラス製外部エンベロープの製造方法において、白熱灯の製造に通常使用されるフレアは１８０°回転して、スカート付きの球状エンベロープ内に配置され、更に、エンベロープ内で溶融される間にスカートが切り離される。また、フレアは首延長部内に成形される。電球型外部エンベロープを有する、安定器内蔵形コンパクト形蛍光ランプも開示する。安定器の構成要素の一部は、外部エンベロープの首延長部の中に配設される。  【選択図】図２０
2011505063.tif 000002
【特許請求の範囲】
【請求項１】
発光体を含む少なくとも一つのランプと、構成要素を備える制御装置とを収容できる電球型外部エンベロープであって、
前記発光体を収容する略球形部と、
前記制御装置の構成要素の少なくとも一部を収容し、首部を有する細長先端部と、
前記首部の内側表面部分に連結されて前記首部から突出し、前記制御装置の構成要素の少なくとも残りの部分を収容でき、且つ、前記首部を強化する略管状の首延長部とを含む電球型外部エンベロープ。
【請求項２】
前記略球形部及び前記細長先端部は、同一の材料で形成される、請求項１に記載の電球型外部エンベロープ。
【請求項３】
前記略球形部及び前記細長先端部は、互いに適合する材料で形成される、請求項１に記載の電球型外部エンベロープ。
【請求項４】
前記首延長部は、前記首部の材料と同じ材料で形成される、請求項１に記載の電球型外部エンベロープ。
【請求項５】
前記首延長部は、前記首部の材料に適合する材料で形成される、請求項１に記載の電球型外部エンベロープ。
【請求項６】
前記首延長部は略円筒形である、請求項１に記載の電球型外部エンベロープ。
【請求項７】
前記首延長部は略円錐形である、請求項１に記載の電球型外部エンベロープ。
【請求項８】
前記首延長部は、略円錐部を有する、請求項１に記載の電球型外部エンベロープ。
【請求項９】
前記首部は、略円錐部分及び略円筒部分を含む、請求項１に記載の電球型外部エンベロープ。
【請求項１０】
前記首部は、その外側表面部分にねじ山が設けられた円筒部分を有する、請求項１に記載の電球型外部エンベロープ。
【請求項１１】
前記略球形部、及び一部の前記細長先端部は、前記細長先端部の残りの部分、前記首部、及び前記首延長部の材料とは異なる材料で形成され、前記細長先端部の残りの部分、前記首部、及び前記首延長部は、互いに適合する材料で形成される、請求項１に記載の電球型外部エンベロープ。
【請求項１２】
前記電球型外部エンベロープの材料はガラスである、請求項１に記載の電球型外部エンベロープ。
【請求項１３】
前記電球型外部エンベロープの材料はプラスチックである、請求項１に記載の電球型外部エンベロープ。
【請求項１４】
ベースを有するランプ用の電球型ガラス製外部エンベロープの略鉛直な製造を行う方法であって、前記外部エンベロープは、主軸を有し、且つ、首部及び首延長部を含み、前記方法は、
ａ）下側に面した状態でスカート部を有する電球型エンベロープを設けるステップと、
ｂ）管状部及びフランジ部を有するフレアを設けるステップと、
ｃ）前記エンベロープの首部を火炎で加熱するステップと、
ｄ）前記主軸に略垂直で、前記フレアの前記管状部が下側に面した状態で、前記スカート部から前記首部の中に前記フレアを持ち上げるステップと、
ｅ）前記スカート部が落下して、前記エンベロープの前記首部の内側表面部分が前記フレアの前記フランジ部に溶融するまで、前記首部のガラスを溶融するステップと、
ｆ）前記首部及び前記フレアの所望の形状を形成するのに適した内面を有する成形型を、前記フレアの一部、及び前記首部の少なくとも一部を挟んで閉じるステップと、
ｇ）前記首延長部から前記エンベロープ内に気体を吹き込んで、前記エンベロープの内部を過圧状態にしながら、加熱する火炎を取り除くことによって、前記エンベロープの溶融したガラスが、前記成形型一杯に膨らみ、その後冷却されるようにするステップと、
ｈ）前記成形型を取り除くステップと、
ｉ）前記エンベロープの前記ガラスをアニールするステップとを含む。
【請求項１５】
前記エンベロープの前記首部は、白熱灯における一般的な首部の壁面厚さよりも５〜１０％大きい壁面厚さを有する、請求項１４に記載の方法。
【請求項１６】
前記エンベロープの前記首部は、白熱灯における一般的な首部の壁面厚さよりも７〜９％大きい壁面厚さを有する、請求項１４に記載の方法。
【請求項１７】
前記成形型は、相互に閉じることができる少なくとも２つの部分を含む、請求項１４に記載の方法。
【請求項１８】
前記成形型は、前記首部の少なくとも一部を形成するねじ山を有する内側表面部分と、前記首延長部のセクションを形成する略円錐形の内側表面部分とを有する、請求項１４に記載の方法。
【請求項１９】
前記気体は空気である、請求項１４に記載の方法。
【請求項２０】
放電ガスが充填された放電体積を密封し、且つ、管の内面に塗布された蛍光発光体塗膜を有する少なくとも一つの放電管で形成される放電管配列を含むコンパクト形蛍光ランプであって、前記管は、連続したアーク路を形成すると共に、前記アーク路の各端部に配設される電極を更に含み、前記コンパクト形蛍光ランプは、
電極及び対応する電源に接続されて、前記管内の電流を制御する安定器回路と、
電球型外部エンベロープとを含み、前記電球型外部エンベロープは、
前記放電管配列を取り囲む略球形部と、
前記安定器回路の構成要素の少なくとも一部を取り囲み、且つ、ベースを収容して固定するのに適した外側表面が設けられた略円筒の首部を有する細長先端部と、
前記首部の内側表面部分に結合して前記首部から突出し、前記安定器回路の構成要素の少なくとも残りの部分を収容できる空間を提供する略管状の首延長部とを含む、コンパクト形蛍光ランプ。
【請求項２１】
前記放電管配列はらせん配列である、請求項２０に記載のコンパクト形蛍光ランプ。
【請求項２２】
前記放電管配列は多指配列である、請求項２０に記載のコンパクト形蛍光ランプ。
【請求項２３】
前記電球型外部エンベロープは分離線を有し、その分離線に沿って、前記エンベロープが２つのセクションに分かれることにより、前記エンベロープ内に前記放電管配列及び前記安定器回路の構成要素を配置することができ、前記２つのセクションは、後で互いに溶融される、請求項２０に記載のコンパクト形蛍光ランプ。
【請求項２４】
前記略円筒の首部の外側表面部分にはねじ山が設けられ、そのねじ山にベースがねじ込まれる、請求項２０に記載のコンパクト形蛍光ランプ。
【請求項２５】
前記安定器回路の引き出し線は、前記首延長部から引き出され、対応する電源への接続が確実に行われるように前記ベース内で終端処理される、請求項２０に記載のコンパクト形蛍光ランプ。
【発明の詳細な説明】
【技術分野】
【０００１】
本発明は、ランプ用の電球型外部エンベロープ、及び電球型外部エンベロープの製造方法に関する。また、本発明は、電球型外部エンベロープが設けられたコンパクト形蛍光ランプにも関する。
【背景技術】
【０００２】
挿入ランプを有する外部エンベロープは、家庭用及び産業用として広い用途を有する。外部エンベロープは、有害な外部の影響及び衝撃から挿入ランプを保護するものであり、その表面が適切に形成されている時には、挿入ランプの光を拡散させ、且つより均一にすることに加え、光源に見た目の美しい概観を持たせるものである。また、外部エンベロープは、コンパクト形蛍光ランプにも利用される。ごく最近には、白熱灯に対応するコンパクト形蛍光ランプの改装部品も設計されている。これらのランプには、白熱灯の寸法に近い寸法を有し、且つ白熱灯の審美的概観を模倣した電球型の外部エンベロープが設けられる。
【０００３】
米国特許第４，５２７，０８９号には、アセンブリ内に機械的に形成されて、外部エンベロープの中に挿入される複数の個別の管を含むコンパクト形蛍光ランプが開示されている。個々の端部開放管は、アーク案内手段によって互いに接続されて、連続したアーク路を形成する。外部エンベロープは円筒形状を有し、水銀及びアルゴンの雰囲気などのアーク生成維持媒体を含んで密封される。引き込み線としての蛍光ランプの電線は、円筒の外部エンベロープのシーリング要素として機能するフレアを通って導入される。蛍光ランプにエネルギを供給する安定器回路は、外部エンベロープの外側に配置されており、このため、安定器回路は、特殊な接点要素及び構成を必要とする。
【０００４】
米国特許第４，６００，８５６号には、ベースプレートの開口部に摩擦嵌入される複数の管を有するコンパクト形低圧アーク放電ランプが記載されている。ベースプレートは、密封された外部エンベロープの中の所定位置に保持されるが、外部エンベロープ又は電球内に、内蔵の安定器は存在しない。このような構造のＣＦＬ（電球型蛍光ランプ）は、外部の安定器に接続しなければならず、そのためには、外部の電気接続部、及び電源に安定器を接続する専用の接続手段を必要とする。
【０００５】
米国特許第６，０６４，１５５号は、標準のエジソン型ベースの上に、白熱灯の外形を有する外部エンベロープを備える蛍光ランプを開示している。放電管は、該エンベロープの軸の周りにコイル状に巻かれて、外部エンベロープ内に配置される。安定器も外部エンベロープ内に配設される。ランプと安定器の間に遮熱材を設けて、安定器からランプを熱的に隔離することによって、ランプからの熱が、安定器に悪影響を及ぼさないようにしている。このランプには、外部エンベロープの内部に一体型の安定器が設けられているが、外部エンベロープの比較的小さい内部空間の中に、ランプと安定器回路の構成要素がどのように配置されているのか、及びランプ電極と安定器回路の間、又は安定器回路とベースの間の電気接続がどのように構成されているのかは開示されておらず、これらの点は、この特許文献から把握できない。
【先行技術文献】
【特許文献】
【０００６】
【特許文献１】米国特許出願公開第２００７／０６３６５６Ａ１号
【発明の概要】
【発明が解決しようとする課題】
【０００７】
一般的な白熱灯のエンベロープのサイズを維持しながら、ランプ及びランプの制御装置の構成要素のための十分な空間を提供する電球型外部エンベロープが求められている。同様に、電球型外部エンベロープを有し、一般的な白熱灯と交換できることに加え、容易に製造することができ、更に、高ルーメン出力及び比較的小さいサイズを有する安定器内蔵形のコンパクト形蛍光ランプも必要とされている。
【課題を解決するための手段】
【０００８】
本発明の例示的実施形態において、発光体を含む少なくとも一つのランプ、及び複数の構成要素を有する制御装置を収容できる電球型外部エンベロープが提供される。エンベロープは、発光体を収容する略球形部と、制御装置の構成要素の少なくとも一部を収容する細長先端部とを有する。細長先端部には首部が設けられる。エンベロープは、首部の内側表面部分に連結されて首部から突出する略管状の首延長部も含む。略管状の首延長部は、制御装置の構成要素の少なくとも残りの部分を収容すること、及び首部を補強することに適する。
【０００９】
本発明の他の態様の例示的実施形態において、ベースを有するランプ用の電球型ガラス製外部エンベロープの略鉛直な製造を行う方法が提供される。この外部エンベロープは、主軸を有し、且つ、首部及び首延長部を含む。本方法は次のステップを含む。
ａ）下側に面した状態でスカート部を備える電球型エンベロープを設けるステップ、
ｂ）管状部及びフランジ部を備えるフレアを設けるステップ、
ｃ）エンベロープの首部を火炎で加熱するステップ、
ｄ）主軸に略垂直で、フレアの管状部が下側に面した状態で、スカート部から首部の中にフレアを持ち上げるステップ、
ｅ）スカート部が落下して、エンベロープの端部がフレアのフランジ部に溶融するまで首部のガラスを溶融するステップ、
ｆ）首部及びフレアの所望の形状を形成するのに適した内面を有する成形型を、フレア、及び首部の少なくとも一部を挟んで閉じるステップ、
ｇ）首延長部からエンベロープ内に気体を吹き込んで、エンベロープの内部を過圧状態にしながら、加熱する火炎を取り除くことによって、エンベロープの溶融したガラスが、成形型一杯に膨らみ、その後冷却されるようにするステップ、
ｈ）成形型を取り除くステップ、及び
ｉ）エンベロープのガラスをアニールするステップ。
【００１０】
本発明の更なる態様の例示的実施形態において、放電管配列を含むコンパクト形蛍光ランプが提供される。この放電管配列は、少なくとも一つの放電管で形成され、放電ガスが充填された放電体積を密封する。管の内面には、蛍光発光体塗膜が塗布される。管は、連続したアーク路を含み、このアーク路の各端部に電極を有する。このランプは、電極及び対応する電源に接続されて管内の電流を制御する安定器回路に加え、電球型外部エンベロープも含む。該エンベロープは次を含む。
・放電管配列を取り囲む略球形部、
・安定器回路の構成要素の少なくとも一部を取り囲み、且つ、ベースを収容して固定するのに適した外側表面が設けられた略円筒状の首部を有する細長先端部、及び
・首部の内側表面部分に結合して首部から突出し、且つ、安定器回路の構成要素の少なくとも残りの部分を収容する空間を提供する略管状の首延長部。
【００１１】
本発明は、従来の技術よりもかなり有利な点を多く備える。首延長部によって、エンベロープ内の制御装置の構成要素により大きい空間が提供される。制御装置は、多数の構成要素で構成することができ、例えば、蛍光灯安定器と、他のタイプのランプ用の制御回路との組み合わせであって良い。一方、外部エンベロープ内の空間をより適切に活用することにより、所定のルーメン出力を基準としたランプの全体サイズも低減できる。首延長部は、金属製ベースに対する制御装置の構成要素の絶縁も提供できる。更に他の重要な利点は、例えば、首延長部を備える電球型外部エンベロープの製造に、白熱灯の製造ラインを容易に適合できることである。
【００１２】
本発明について、添付図面を参照しながら詳細に説明する。図面は次の通りである。
【図面の簡単な説明】
【００１３】
【図１】エンベロープの細長先端部、首部、及び区部延長部が示されている外部エンベロープの斜視図である。
【図２】エンベロープの主軸に平行な平面で切り取った断面で、図１の外部エンベロープを示す斜視図である。
【図３】印刷回路基板（ＰＣＢ）に搭載された安定器回路を有する外部エンベロープの細長先端部を示す斜視図である。
【図４】エンベロープの主軸に平行な平面で切り取った断面で示す、図３の斜視図である。
【図５】外部エンベロープの主軸を含む平面で切り取った、首部及び首延長部の断面図である。
【図６】従来の白熱灯の製造工程を示す図である。
【図７】従来の白熱灯の製造工程を示す図である。
【図８】従来の白熱灯の製造工程を示す図である。
【図９】従来の白熱灯の製造工程を示す図である。
【図１０】白熱灯において一般的な従来のフレアの製造工程を示す図である。
【図１１】白熱灯において一般的な従来のフレアの製造工程を示す図である。
【図１２】白熱灯において一般的な従来のフレアの製造工程を示す図である。
【図１３】白熱灯において一般的な従来のフレアの製造工程を示す図である。
【図１４】白熱灯において一般的な従来のフレアの製造工程を示す図である。
【図１５】首延長部を有する外部エンベロープの製造工程を示す図である。
【図１６】首延長部を有する外部エンベロープの製造工程を示す図である。
【図１７】首延長部を有する外部エンベロープの製造工程を示す図である。
【図１８】首延長部を有する外部エンベロープの製造工程を示す図である。
【図１９】首延長部を有する外部エンベロープの製造工程を示す図である。
【図２０】首延長部を備える電球型外部エンベロープ内に取り付けられたコンパクト形蛍光ランプを示す斜視図である。
【発明を実施するための形態】
【００１４】
図１及び図２を参照すると、電球型外部エンベロープ１が示されている。外部エンベロープは、区別可能な複数のセクション、すなわち、略球形部（図１、２にはごく一部のみを示すが、図２０に全体を示す）、細長先端部３、細長先端部内の首部４を含む。電球型外部エンベロープは、発光体を有する少なくとも一つのランプ及び制御装置を収容することに適する。電球型外部エンベロープ１を有するコンパクト形蛍光ランプ１００を確認できる図２０に示されるように、発光体は放電管配列１０１であり、制御装置は安定器回路１０６である。球形部２は放電管配列を収容でき、細長先端部３は、安定器回路１０６の構成要素の少なくとも一部を収容することに適している。外部エンベロープには、首延長部５も設けられる。この首延長部５は実質的に管状であり、好ましくは、円筒形又は円錐形であって良く、円錐部によって首部４の内側表面部分に結合されて、首部４から突出する。図３、図４、及び図２０に示すように、首延長部５、厳密にはその内部空間は、安定器回路１０６の構成要素の残りの部分を収容することに活用できる。制御装置すなわち安定器回路１０６の構成要素は、電気回路構成要素、及びその電気回路構成要素を取り付ける印刷回路基板（ＰＣＢ）７である。
【００１５】
首延長部５は、ガラスであると好ましい首部４の材料と同じ材料で形成されても、又は、首部４の材料に適合する材料で作製されても良い。首部４は、例えば、ガラス又はガラス配合物の一つのタイプであって良く、首延長部５の適合材料は、他のタイプのガラス又はガラス配合物で有り得る。首延長部５は、その円錐部で首部４を強化すると同時に、内側から周方向を確実に支承する。
【００１６】
首部４は、略円錐部へと広がってゆく実質的に円筒状の部分を有する。首部４の外側表面部分にはねじ山が設けられており、ベース１１３は、電球型外部エンベロープの首部にねじ込むことができる。
【００１７】
外部エンベロープの略球形部２及び細長先端部３は、互いに適合する材料、例えば、異なる２つのガラス配合物で形成できるが、これら２つのセクションを同一の材料、すなわち同一のガラス配合物で作製することも可能である。電球型外部エンベロープ１は、その全体がガラス製又はプラスチック製になるように設計されても良いが、略球形部２、及び一部の細長先端部３は、細長先端部３の残りの部分、首部４、及び首延長部５の材料とは異なる材料で形成されても良い。細長先端部３の残りの部分、首部４、及び首延長部５は、同一材料、好ましくは一種類のプラスチック、又は互いに適合する材料、例えば、異なる種類のプラスチック材料で形成することができ、その一方で、略球形部２、及び略球形部２の隣に形成される細長先端部３の一部をガラスで作製することができる。内部にガラス製バルブ及びプラスチック製ハウジングを備える外部エンベロープは、ガラス製バルブとプラスチック製ハウジングを互いに固定する各種の方法と同様に、当業者には既知である。
【００１８】
図５は、外部エンベロープの主軸を含む平面で切り取った、細長先端部３の断面図である。一般的な白熱灯の製造で用いられるステムを破断線で示す。この従来のステム又はマウントは、電球型エンベロープに適用されるフレアから作製される。フレアの管状の上側部分が狭窄されてマウントを形成する。フレアの管状の下側フランジ部分は、首部４の内側表面部分に溶融される。提案する電球型外部エンベロープの例示的実施形態は、前述のステムの代わりに首延長部５を含む。この首延長部５は、白熱灯の製造において一般的なフレアから形成される。
【００１９】
ランプ用のガラス電球型外部エンベロープ１の略鉛直な製造を行う例示的方法は、白熱灯の製造において一般的なスカート部を有する電球型エンベロープを設けることから開始する。白熱灯の製造に関わる当業者には良く知られているように、炉から流出した溶融ガラスは、互いに向かい合わせに配置される２つのシリンダによって帯状に平坦化される。溶融ガラスの帯は、鋼板上に流れ出る。鋼板２０は、その中央に穴を有し、その穴の上に噴出口２１が移載されて、図６及び図７に示すように、溶融ガラスの中に沈められる。噴出口２１からガラス２２内に熱風が吹き込まれることで、ガラスブリスタ２３（図７）が得られる。２つの半片部分から成る成形型２４が、膨らませたガラスブリスタを挟んで閉じると、ブリスタ２３は、過圧状態を生成する更なるエアブローによって成形型２４内で圧迫される（図８）。成形型２４が開くと、その状態でガラスが冷却され（図９）、スカート部を有する電球型エンベロープが作製される。これに関して、複数の部分を含む成形型が利用されても良い。電球型エンベロープを作製する最後の処理は、そのガラス材料のアニーリングである。
【００２０】
電球型エンベロープの製造における次のステップは、白熱灯の製造において一般的な管状部１５及びフランジ部１４を有するフレア１３を設けることである。このようなフレアの製造は、白熱ガラス技術に精通した者には良く知られているが、その作製工程について、図１０〜１４を参照しながら簡単に要約する。まず、直径が約１７ミリメートルの管２５を用いて処理を開始し、図１０に示すように、管２５を回転させながら、火炎により管２５の端部を溶融させる。フランジ作製成形型２６によりフランジ部が形成され（図１１）、続いて管の側面部分にけがき処理が行われ（図１２）、その後、管状部とフランジ部とを有するフレアを形成する管の部分が、針状火炎２７によって分断される（図１３）。管状部の端部は、幅広の火炎２８を用いて最終形状に整形される（図１４）。
【００２１】
電球型外部エンベロープ１を製造する例示的方法において、次の工程は、図１５に示すようにスカート部が下を向いた状態で、火炎１２を用いて、エンベロープの首部分９を加熱することである。首部分９は、その近辺に形成される首部４を含む。首部分９が加熱されている間、及び方法全体を通して、電球型外部エンベロープ１は、主軸１８を中心に継続して回転する。また、首部分９を加熱している間、フレア１３は、持ち上げロッド１６によって、スカート部１１から首部分９の中に持ち上げられている。フレア１３の位置は、電球型エンベロープ１０の主軸１８に対してほぼ垂直になり、フレア１３の管状部１５及びフランジ部１４は、下側及び上側にそれぞれ面することになる。このフレア１３の位置は、白熱灯の製造におけるフレアの位置とは基本的に異なり、白熱灯の場合、管状部は白熱灯のステムの中に形成されるため、管状部が上側に面し、フランジ部が下側に面する。ランプ用の電球型外部エンベロープを製造する例示的方法では、フレア１３の管状部１５が下側に面することにより、首延長部５が生じる。
【００２２】
次に、首部のガラスの溶融は、スカート部１１が落下して、エンベロープ１０の首部４の内側表面部分が、図１６に示すように、フレア１３のフランジ部上に溶融するまで続けられる。次の工程は、フレア１３、及び少なくとも一部の首部４を挟んで成形型１７を閉じることである。成形型１７は、２つの半片部分から成り、この半片部分は、相互に閉じることができ、首部４及びフレア１３を所望の形状に形成するのに適した内面を有する。複数の部分を含む成形型を利用することもできる。成形型１７の内面の一部に、首部４の少なくとも一部を形成するねじ山を設けることができ、成形型の内面の他の部分は、首延長部５のセクションを形成する略円錐形であって良い。電球型エンベロープ１０は、例示的製造方法の開始ポイントを構成するものである場合、首部４のねじ山を形成する十分なガラス材料が存在するように、白熱灯において一般的な首部の壁面厚さよりも５〜１０％大きい壁面厚さであって良い。白熱灯の一般的な首部の壁面厚さは、白熱灯製造の当業者に知られる通り、０．５〜０．６ミリメートルの範囲である。この壁面厚さは、白熱灯の首部の壁面厚さよりも７〜９％大きいとより好ましい。
【００２３】
次に、図１８を参照して説明すると、成形型が閉じた位置にあり、加熱する火炎１２が除去された状態で、首延長部５からエンベロープ内に、気体、好ましくは空気が吹き付けられる。吹き付けられた気体によりエンベロープ１内が過圧状態になると、エンベロープの溶融したガラスは、成形型一杯に膨らみ、その後、冷えてゆく。図１９に示されるように、成形型１７を取り外した後、アニーリング工程で、電球型外部エンベロープ１の製造方法が完了する。
【００２４】
電球型外部エンベロープ１を有するコンパクト形蛍光ランプ１００は、本発明の更に他の態様の例示的実施形態である（図２０）。コンパクト形蛍光ランプは、少なくとも一つの放電管を備える放電管配列１０１、該管内の電流を制御する安定器回路１０６、及び上記で既に説明した首延長部１０５を有する電球型外部エンベロープ１を含む。当業者に周知の放電管は、放電ガスが充填された放電体積を密封するものであり、内面には蛍光発光体塗膜が塗布されている。この管は、連続したアーク路を形成し、そのアーク路の各端部に配置される電極を備える。図２０の放電管配列１０１はらせん配列であるが、多指配列であっても良い。多指配列も当業者には既知であり、この配列は、適切なドームを形成する湾曲部を用いてＵ字形に曲げられたほぼ直線状の管状部で形成される。連続したアーク路をもたらすブリッジ部が、Ｕ字形の管状部に接続される。
【００２５】
電球型外部エンベロープ１は、保持プレート１０７によって支持された放電管配列１０１を取り囲む略球形部１０２を有する。保持プレート１０７は、金属で形成されると好ましいが、プラスチック製の保持プレートが利用されても良い。保持プレート１０７は、外周端縁部分を有し、この外周端縁部分には、外周端縁部分の材料から切り出された弾性爪１１０が設けられる。弾性爪１１０は、外部エンベロープ１の内側表面部分にもたれかかると共に、球形部１０２の内側表面部分のより上方に放電管配列１０１を押し付ける。保持プレート１０７は穴１１１に放電管配列１０１を収容する。
【００２６】
電球型外部エンベロープ１は、安定器回路の構成要素の少なくとも一部を取り囲む細長先端部１０３も含む。安定器回路の構成要素は、印刷回路基板と、トランジスタ、ダイオード、変圧器、インダクタ、コンデンサ、抵抗器などの電気回路素子とを含む。コンパクト形蛍光ランプ１００の実施形態は、主軸１１２にほぼ平行に取り付けられた印刷回路基板を有する安定器回路を含む。図３から分かるように、印刷回路基板７は、溝１１９を通って保持プレート１０７（図２０）と結合する爪１９を有する。細長先端部１０３は、自身の外側表面部分にベース１１３を収容して固定する略円筒の首部１０４も有する。図２０に示したコンパクト形蛍光ランプ１００の例示的実施形態が有する略円筒の首部１０４は、その外側表面部分にねじ山が設けられており、そのねじ山にベースがねじ込まれる。
【００２７】
前述したように、電球型外部エンベロープ１は、略管状の首延長部１０５も有する。首延長部１０５は、首部１０４の内側表面部分に連結されて首部１０４から突出し、安定器回路の構成要素の一部、例えば、コンデンサ１１４を収容できる空間を提供する。下側部分が細くなっている印刷回路基板７は、首延長部１０５によって形成される空間内に延びる。この空間は、首延長部１０５の壁面によってベース１１３から絶縁され、その壁面は、電球型外部エンベロープ１の首部１０４の端部を強化することも同時に提供する。図２０のコンパクト形蛍光ランプの例示的実施形態は、首延長部１０５によって、外部エンベロープ１の内部空間が有利に活用される状態に関連して例示したものである。
【００２８】
安定器回路１０６には、引き込み線１０９及び引き出し線１０８が設けられる。引き出し線１０８は、図４を見ると良く分かるが、略管状の首延長部１０５から引き出される。引き出し線１０８は、対応する電源の２つの端子への接続が確実に行われるように、ベース１１３内で終端処理され、且つ、絶縁部１１５によって互いに絶縁される。引き込み線１０９は、放電管配列１０１に接続される。
【００２９】
例示するコンパクト形蛍光ランプの電球型外部エンベロープ１は、分離線１１８を有し、エンベロープは、この分離線１１８に沿って２つの適切なセクションに分かれるため、放電管配列１０１及び安定器回路の構成要素を外部エンベロープ１内に配置することができ、この２つのセクションは、後で互いに溶融される。
【００３０】
本発明は、図示及び開示した実施形態に限定されるのではなく、他の要素、改良物、及び変形物も本発明の範囲に入るものである。例えば、首延長部を有する電球型外部エンベロープに、異なるタイプ、例えば、ハロゲンタイプの発光体や発光ダイオードを封入できることは当業者には明らかである。同様に、電球型外部エンベロープは、発光ダイオードと組み合わせたコンパクト形蛍光放電管配列や、ハロゲン発光体と組み合わせたコンパクト形蛍光放電管配列、すなわちハロゲンランプのように、発光体の組み合わせを収容することができる。また、制御装置は、コンパクト形蛍光灯安定器、発光ダイオード又はハロゲンランプの制御回路、及びこれらの回路の組み合わせであって良い。
【図１】
2011505063.tif 000003
【図２】
2011505063.tif 000004
【図３】
2011505063.tif 000005
【図４】
2011505063.tif 000006
【図５】
2011505063.tif 000007
【図６】
2011505063.tif 000008
【図７】
2011505063.tif 000009
【図８】
2011505063.tif 000010
【図９】
2011505063.tif 000011
【図１０】
2011505063.tif 000012
【図１１】
2011505063.tif 000013
【図１２】
2011505063.tif 000014
【図１３】
2011505063.tif 000015
【図１４】
2011505063.tif 000016
【図１５】
2011505063.tif 000017
【図１６】
2011505063.tif 000018
【図１７】
2011505063.tif 000019
【図１８】
2011505063.tif 000020
【図１９】
2011505063.tif 000021
【図２０】
2011505063.tif 000022
【国際調査報告】
2011505063.tif 000023
2011505063.tif 000024